(57)【要約】【課題】警報を報知する警報接点の開閉動作による接点信号を、構内電話が端末機を呼び出す動作として適切な電話回線信号に処理する接点信号処理装置を提供する。【解決手段】接点信号処理装置１は、警報情報検出器２が検出した警報情報を受信する警報情報受信部１１と、その警報情報の受信後の経過時間を計測する受信時間計測部１２と、その設定値を記憶する設定時間記憶部１３と、内部回路１０と、警報接点８の開閉動作を処理する接点信号処理部１４と、構内交換機３のアナログ内線回路７に、接点信号処理部１４により処理された接点信号を発信する接点信号発信部１５と、を備え、接点信号処理部１４は、受信時間計測部１２が計測した、警報を報知する期間である警報接点８の開閉動作の継続時間を、設定値に基づき内部回路１０の内部回路接点１７を制御し、構内電話がＰＨＳ端末機４を呼び出す動作の継続時間として処理する。【選択図】図１
2008118610.tif 000002
【特許請求の範囲】
【請求項１】
回路で接続された警報情報検出器の警報接点の開閉動作による接点信号により、警報情報検出器が検出した警報情報を受信する警報情報受信部と、
その警報情報の受信後の経過時間を計測する受信時間計測部と、
受信後の経過時間についての設定値を記憶する設定時間記憶部と、
開閉動作を行う接点が備わった内部回路と、
警報情報検出器の警報接点の開閉動作を内部回路の開閉動作により処理する接点信号処理部と、
構内交換機のアナログ内線回路に接点信号処理部により処理された接点信号を発信し、構内交換機にオフフックされたと判断させて端末機にダイレクト・コールによる呼び出しをさせる接点信号発信部と、を備え、
接点信号処理部は、受信時間計測部が計測した、警報を報知する期間である警報情報検出器の警報接点の開閉動作の継続時間を、設定時間記憶部に記憶された設定値に基づき内部回路の接点の開閉動作を制御し、構内電話が端末機を呼び出す動作の継続時間として処理することを特徴とする接点信号処理装置。
【請求項２】
回路で接続され、内線番号により特定された警報情報検出器の警報接点の開閉動作による接点信号により、警報情報検出器が検出した警報情報を受信する警報情報受信部と、
その警報情報の受信後の経過時間を計測する受信時間計測部と、
受信後の経過時間についての設定値を記憶する設定時間記憶部と、
開閉動作を行う接点が備わった内部回路と、
警報情報検出器の警報接点の開閉動作を内部回路の開閉動作により処理する接点信号処理部と、
警報情報受信部が受信した警報情報検出器の接点信号から、警報情報検出器の内線番号に対応し、複数の端末機が呼び出される電話番号として予め登録されたグループ電話番号を構内交換機に発信し、構内交換機にオフフックされたと判断させてグループとして登録された各端末機に呼び出しをさせるグループ電話番号発信部と、を備え、
接点信号処理部は、受信時間計測部が計測した、警報を報知する期間である警報情報検出器の警報接点の開閉動作の継続時間を、設定時間記憶部に記憶された設定値に基づき内部回路の接点の開閉動作を制御し、構内電話が端末機を呼び出す動作の継続時間として処理することを特徴とする接点信号処理装置。
【請求項３】
請求項１又は２に記載の接点信号処理装置において、接点信号処理部は、受信時間計測部により計測された、警報接点がＯＮである継続時間が、設定時間記憶部に記憶された最大設定値を越えるときには、内部回路の接点をＯＮからＯＦＦに切り替えることを特徴とする接点信号処理装置。
【請求項４】
請求項１又は２に記載の接点信号処理装置において、接点信号処理部は、受信時間計測部により計測された、警報接点がＯＮである継続時間が、設定時間記憶部に記憶された最小設定値に達しないときには、その最小設定値まで、内部回路の接点をＯＮの状態に継続させることを特徴とする接点信号処理装置。
【請求項５】
請求項１乃至３のいずれか１に記載の接点信号処理装置において、接点信号処理部は、受信時間計測部により計測された継続時間が、設定時間記憶部に記憶されたリダイアルすべき設定値に達すると、ＯＦＦとなった内部回路の接点を再度ＯＮにすることを特徴とする接点信号処理装置。
【請求項６】
請求項２乃至４のいずれか１に記載の接点信号処理装置において、接点信号処理装置は、呼出確認ボタンが接続された呼出確認受信部をさらに備え、接点信号処理部は、呼出確認ボタンがＯＦＦからＯＮとなったことを呼出確認受信部が検知したときは、内部回路の接点をＯＮからＯＦＦとすることを特徴とする接点信号処理装置。
【請求項７】
回路で接続された警報情報検出器の警報接点の開閉動作による接点信号により、警報情報検出器が検出した警報情報を受信する警報情報受信部と、
開閉動作を行う接点が備わった内部回路と、
警報情報検出器の警報接点の開閉動作を内部回路の開閉動作により処理する接点信号処理部と、
構内交換機のアナログ内線回路に接点信号処理部により変換された接点信号を発信し、構内交換機にオフフックされたと判断させて端末機にダイレクト・コールによる呼び出しをさせる接点信号発信部と、を備え、
接点信号処理部は、警報情報検出器の警報接点が通常はＯＮであり動作時にＯＦＦとなる場合には、警報情報検出器の警報接点がＯＮからＯＦＦになる動作を、内部回路の接点をＯＦＦからＯＮにする動作に変換することを特徴とする接点信号処理装置。
【請求項８】
回路で接続され、内線番号により特定された警報情報検出器の警報接点の開閉動作による接点信号により、警報情報検出器が検出した警報情報を受信する警報情報受信部と、
開閉動作を行う接点が備わった内部回路と、
警報情報検出器の警報接点の開閉動作を内部回路の開閉動作により処理する接点信号処理部と、
警報情報受信部が受信した警報情報検出器の接点信号から、警報情報検出器の内線番号に対応し、複数の端末機が呼び出される電話番号として予め登録されたグループ電話番号を構内交換機に発信し、構内交換機にオフフックされたと判断させてグループとして登録された各端末機に呼び出しをさせるグループ電話番号発信部と、を備え、
接点信号処理部は、警報情報検出器の警報接点が通常はＯＮであり動作時にＯＦＦとなる場合には、警報情報検出器の警報接点がＯＮからＯＦＦになる動作を、内部回路の接点をＯＦＦからＯＮにする動作に変換することを特徴とする接点信号処理装置。
【請求項９】
請求項７又は８に記載の接点信号処理装置において、接点信号処理部は、受信時間計測部により計測された、警報接点がＯＦＦである継続時間が、設定時間記憶部に記憶された最大設定値を越えるときには、内部回路の接点をＯＦＦからＯＮとすることを特徴とする接点信号処理装置。
【請求項１０】
請求項７乃至９に記載の接点信号処理装置において、接点信号処理部は、受信時間計測部により計測された、警報接点がＯＦＦである継続時間が、設定時間記憶部に記憶された最小設定値に達しないときには、その最小設定値まで、内部回路の接点をＯＦＦの状態に継続させることを特徴とする接点信号処理装置。
【請求項１１】
請求項７乃至１０のいずれか１に記載の接点信号処理装置において、接点信号処理部は、受信時間計測部により計測された継続時間が、設定時間記憶部に記憶されたリダイアルの設定値に達すると、内部回路の接点を再度ＯＦＦにすることを特徴とする接点信号処理装置。
【請求項１２】
請求項７乃至１１のいずれか１に記載の接点信号処理装置において、接点信号処理装置は、呼出確認ボタンを備え、接点信号処理部は、呼出確認ボタンがＯＮになったときは、内部回路の接点をＯＦＦからＯＮとすることを特徴とする接点信号処理装置。
【請求項１３】
請求項７乃至１２のいずれか１に記載の接点信号処理装置において、接点信号処理装置は、呼出確認ボタンが接続された呼出確認受信部をさらに備え、接点信号処理部は、呼出確認ボタンがＯＦＦからＯＮとなったことを呼出確認受信部が検知したときは、内部回路の接点をＯＦＦからＯＮとすることを特徴とする接点信号処理装置。
【請求項１４】
請求項１乃至１３のいずれか１に記載の接点信号処理装置において、接点信号処理部は、警報接点回路が電圧を供給する電源を有するときは、内部回路を無電圧接点に変換することを特徴とする接点信号処理装置。
【発明の詳細な説明】
【技術分野】
【０００１】
本発明は、接点信号処理装置に係り、特に、回路で接続された警報情報検出器の警報接点の開閉動作による接点信号を処理する接点信号処理装置に関する。
【背景技術】
【０００２】
保守管理者の通常の所在場所から遠隔場所に設置された、例えば、設備装置や設備システムの異常や故障に関する情報を保守管理者に伝達し認知させるために、例えば、ＰＨＳ端末機等を用いた警報情報報知システムが採用されている。一般には、警報情報検出器が検出した情報は、警報情報検出器から専用回線を通じて、例えば、設備管理室内に設けられた監視装置に報知される。しかし、保守管理者が、常に監視装置により監視するわけにはいかない。そこで、保守管理者等の設備保守の関係者が持ち歩く、例えば、ＰＨＳ端末機に情報を報知させる警報情報報知システムが考案されている。
【０００３】
一般的には、この警報情報報知システムは、設備の警報情報を検出する警報情報検出器と、端末機と、警報情報検出器により検出された警報情報を受信して端末機に報知する構内交換機とから構成される。
【０００４】
図１０に、上述した警報情報報知システムの１つの実施形態の概略を示す。この警報情報報知システム３０は、警報情報検出器２の警報接点８が電気回路５により構内交換機３のアナログ内線回路７に接続される。この場合、構内交換機３は、警報情報検出器２からの接点信号に対して電話機がオフフックされたと判断し、所定のＰＨＳ端末機４をダイレクト・コールにより呼び出す。この警報情報報知システム３０は、下記に示す一般的な電話機と電話交換機との接続方式を、警報接点８の接点信号の伝達手段として利用したものである。
【０００５】
図１１に、一般的な電話機と電話交換機とを接続する電気回路の仕組みを説明図により示す。電話機２５と電話交換機２１とは２本の銅線（Ｌ１及びＬ２）により電気回路２２が構成されている。電話機２５側には、スイッチ２３が設けられ通話時以外にはスイッチ２３はＯＦＦとなり電気回路２２には電流が流れないオンフックの状態である。利用者が受話器２４を上げるとスイッチ２３はＯＮとなり電気回路２２には電流が流れオフフックの状態となる。このオフフックによる電流を検知した電話交換機２１は、電話機２５からの電話番号を受信するモードになったことを利用者に通知するため、回線を通じて発信音（ダイヤルトーン）を流す。そして、利用者が引き続き入力する電話番号を受信するように待機する。
【０００６】
一方、特許文献１には、情報報知システムとして、警報情報を検出する警報設備と構内交換機と複数の端末装置とから構成される情報報知システムが開示されている。ここでは、警報設備は構内交換機と連動していないことから、そのインターフェースとして接点検出ボードを有する。また、構内交換機と端末装置とは、その端末装置によりインターフェースにより接続されている。さらには、音声ガイダンスを出力するガイダンス出力ボードを有する。
【０００７】
【特許文献１】特開２００４−９６５９０号公報
【発明の開示】
【発明が解決しようとする課題】
【０００８】
警報情報検出器の警報接点は、設備装置や設備システムの異常や故障に関する情報に基づき開閉動作を行って接点信号を構内交換機に発信する。しかし、構内交換機は、この接点信号を電話回線の接点信号として受信する。従って、警報接点がＯＦＦからＯＮになり接点信号が発信した後、例えば、そのＯＮの状態は設備装置や設備システムの異常や故障が回復するまで継続する。或いは、一旦ＯＮになった後、すぐにＯＦＦとなる場合もある。さらには、ある設備装置や設備システムの異常や故障について、一旦ＯＦＦになった後に再度ＯＮとはならない場合が多い。これらの警報情報検出器の警報接点のＯＮ及びＯＦＦの開閉動作は、構内交換機によりそのまま電話回線を通じて端末機に伝達されるため、端末機側は適切な受信ができない場合がある。
【０００９】
また、警報情報検出器の警報接点は、通常はＯＮの状態で、設備装置や設備システムの異常や故障に対してＯＦＦとなる開閉動作をする場合があり、端末機側は適切な受信ができない場合がある。
【００１０】
本願の目的は、かかる課題を解決し、警報を報知する警報接点の開閉動作による接点信号を、構内電話が端末機を呼び出す動作として適切な電話回線信号に処理する接点信号処理装置を提供することである。
【課題を解決するための手段】
【００１１】
上記目的を達成するため、本発明に係る接点信号処理装置は、回路で接続された警報情報検出器の警報接点の開閉動作による接点信号により、警報情報検出器が検出した警報情報を受信する警報情報受信部と、その警報情報の受信後の経過時間を計測する受信時間計測部と、受信後の経過時間についての設定値を記憶する設定時間記憶部と、開閉動作を行う接点が備わった内部回路と、警報情報検出器の警報接点の開閉動作を内部回路の開閉動作により処理する接点信号処理部と、構内交換機のアナログ内線回路に接点信号処理部により処理された接点信号を発信し、構内交換機にオフフックされたと判断させて端末機にダイレクト・コールによる呼び出しをさせる接点信号発信部と、を備え、接点信号処理部は、受信時間計測部が計測した、警報を報知する期間である警報情報検出器の警報接点の開閉動作の継続時間を、設定時間記憶部に記憶された設定値に基づき内部回路の接点の開閉動作を制御し、構内電話が端末機を呼び出す動作の継続時間として処理することを特徴とする。
【００１２】
また、本発明に係る接点信号処理装置は、回路で接続され、内線番号により特定された警報情報検出器の警報接点の開閉動作による接点信号により、警報情報検出器が検出した警報情報を受信する警報情報受信部と、その警報情報の受信後の経過時間を計測する受信時間計測部と、受信後の経過時間についての設定値を記憶する設定時間記憶部と、開閉動作を行う接点が備わった内部回路と、警報情報検出器の警報接点の開閉動作を内部回路の開閉動作により処理する接点信号処理部と、警報情報受信部が受信した警報情報検出器の接点信号から、警報情報検出器の内線番号に対応し、複数の端末機が呼び出される電話番号として予め登録されたグループ電話番号を構内交換機に発信し、構内交換機にオフフックされたと判断させてグループとして登録された各端末機に呼び出しをさせるグループ電話番号発信部と、を備え、接点信号処理部は、受信時間計測部が計測した、警報を報知する期間である警報情報検出器の警報接点の開閉動作の継続時間を、設定時間記憶部に記憶された設定値に基づき内部回路の接点の開閉動作を制御し、構内電話が端末機を呼び出す動作の継続時間として処理することを特徴とする。
【００１３】
また、接点信号処理装置は、接点信号処理部は、受信時間計測部により計測された、警報接点がＯＮである継続時間が、設定時間記憶部に記憶された最大設定値を越えるときには、内部回路の接点をＯＮからＯＦＦに切り替えることが好ましい。
【００１４】
また、接点信号処理装置は、接点信号処理部は、受信時間計測部により計測された、警報接点がＯＮである継続時間が、設定時間記憶部に記憶された最小設定値に達しないときには、その最小設定値まで、内部回路の接点をＯＮの状態に継続させることが好ましい。
【００１５】
また、接点信号処理装置は、接点信号処理部は、受信時間計測部により計測された継続時間が、設定時間記憶部に記憶されたリダイアルすべき設定値に達すると、ＯＦＦとなった内部回路の接点を再度ＯＮにすることが好ましい。
【００１６】
また、接点信号処理装置は、呼出確認ボタンが接続された呼出確認受信部をさらに備え、接点信号処理部は、呼出確認ボタンがＯＦＦからＯＮとなったことを呼出確認受信部が検知したときは、内部回路の接点をＯＮからＯＦＦとすることが好ましい。
【００１７】
本発明に係る接点信号処理装置は、回路で接続された警報情報検出器の警報接点の開閉動作による接点信号により、警報情報検出器が検出した警報情報を受信する警報情報受信部と、開閉動作を行う接点が備わった内部回路と、警報情報検出器の警報接点の開閉動作を内部回路の開閉動作により処理する接点信号処理部と、構内交換機のアナログ内線回路に接点信号処理部により変換された接点信号を発信し、構内交換機にオフフックされたと判断させて端末機にダイレクト・コールによる呼び出しをさせる接点信号発信部と、を備え、接点信号処理部は、警報情報検出器の警報接点が通常はＯＮであり動作時にＯＦＦとなる場合には、警報情報検出器の警報接点がＯＮからＯＦＦになる動作を、内部回路の接点をＯＦＦからＯＮにする動作に変換することを特徴とする。
【００１８】
本発明に係る接点信号処理装置は、回路で接続され、内線番号により特定された警報情報検出器の警報接点の開閉動作による接点信号により、警報情報検出器が検出した警報情報を受信する警報情報受信部と、開閉動作を行う接点が備わった内部回路と、警報情報検出器の警報接点の開閉動作を内部回路の開閉動作により処理する接点信号処理部と、警報情報受信部が受信した警報情報検出器の接点信号から、警報情報検出器の内線番号に対応し、複数の端末機が呼び出される電話番号として予め登録されたグループ電話番号を構内交換機に発信し、構内交換機にオフフックされたと判断させてグループとして登録された各端末機に呼び出しをさせるグループ電話番号発信部と、を備え、接点信号処理部は、警報情報検出器の警報接点が通常はＯＮであり動作時にＯＦＦとなる場合には、警報情報検出器の警報接点がＯＮからＯＦＦになる動作を、内部回路の接点をＯＦＦからＯＮにする動作に変換することを特徴とする。
【００１９】
また、上述した場合に接点信号処理装置は、接点信号処理部は、受信時間計測部により計測された、警報接点がＯＦＦである継続時間が、設定時間記憶部に記憶された最大設定値を越えるときには、内部回路の接点をＯＦＦからＯＮとすることが好ましい。
【００２０】
また、上述した場合に接点信号処理装置は、接点信号処理部は、受信時間計測部により計測された、警報接点がＯＦＦである継続時間が、設定時間記憶部に記憶された最小設定値に達しないときには、その最小設定値まで、内部回路の接点をＯＦＦの状態に継続させることが好ましい。
【００２１】
また、上述した場合に接点信号処理装置は、接点信号処理部は、受信時間計測部により計測された継続時間が、設定時間記憶部に記憶されたリダイアルの設定値に達すると、内部回路の接点を再度ＯＦＦにすることが好ましい。
【００２２】
また、接点信号処理装置は、呼出確認ボタンを備え、接点信号処理部は、呼出確認ボタンがＯＮになったときは、内部回路の接点をＯＦＦからＯＮとすることが好ましい。
【００２３】
また、接点信号処理装置は、呼出確認ボタンが接続された呼出確認受信部をさらに備え、接点信号処理部は、呼出確認ボタンがＯＦＦからＯＮとなったことを呼出確認受信部が検知したときは、内部回路の接点をＯＦＦからＯＮとすることが好ましい。
【００２４】
さらに、接点信号処理装置は、接点信号処理部は、警報接点回路が電圧を供給する電源を有するときは、内部回路を無電圧接点に変換することが好ましい。
【発明の効果】
【００２５】
上記構成により、接点信号処理装置は、その接点信号処理部により、受信時間計測部が計測した、警報を報知する期間である警報情報検出器の警報接点の開閉動作の継続時間を、設定時間記憶部に記憶された設定値に基づき内部回路の接点を制御し、構内電話が端末機を呼び出す動作の継続時間として処理する。これにより、例えば、警報接点の接点信号は、設備装置や設備システムの異常や故障が回復するまでＯＮの状態が継続するが、その継続時間を制御することが可能となる。或いは、警報接点の接点信号は、一旦ＯＮになった後にすぐにＯＦＦとなる場合もあるが、端末機の利用者が確認できる継続時間に制御することが可能となる。さらには、ある設備装置や設備システムの異常や故障について、一旦ＯＦＦになった後に再度ＯＮとはならない場合が多いが、端末機に利用者に対してリダイアルすることが可能となる。
【００２６】
また、接点信号処理装置は、警報接点が、通常はＯＮの状態であり設備装置や設備システムの異常や故障に対してＯＦＦとなる開閉動作をする場合であっても、内部回路を制御することにより適切な電話回線信号に処理することが可能となる。
【００２７】
以上のように、本発明に係る接点信号処理装置によれば、警報を報知する警報接点の開閉動作による接点信号を、構内電話が端末機を呼び出す動作として適切な電話回線信号に処理することが可能となる。
【発明を実施するための最良の形態】
【００２８】
以下に、図面を用いて本発明に係る接点信号処理装置の実施形態につき、詳細に説明する。
【００２９】
（第１の実施形態）
図１に、本発明に係る接点信号処理装置の第１の実施形態の概略構成を示す。接点信号処理装置１は、警報情報受信部１１、受信時間計測部１２、設定時間記憶部１３、内部回路１０を含む接点信号処理部１４、接点信号発信部１５、呼出確認受信部１６、及び内部回路１０から構成される。
【００３０】
また、図１には、本発明に係る接点信号処理装置１を用いた警報情報報知システム３０の第１の実施形態の概略構成を示す。この警報情報報知システム３０は、警報情報検出器２と構内交換機３とを電気回路２２により接続し、警報情報検出器２により検出された警報情報を、ＰＨＳ基地局６を介して所定のＰＨＳ端末機４に報知するシステムである。ここでは、警報情報検出器２の警報接点８の開閉動作による接点信号は、構内交換機３のアナログ内線回線７に接続される。構内交換機３は、この接点信号に対してオンフックされたと判断し、ＰＨＳ基地局６を介して所定のＰＨＳ端末機４を呼び出す。接点信号処理装置１は、この警報情報検出器２と構内交換機３との間に設置される。
【００３１】
警報情報受信部１１は、警報情報検出器２と電気回路２２により接続される。警報情報検出器２は警報接点８を有し、構内の設備装置や設備システムの異常や故障を検出すると警報接点８をＯＦＦからＯＮとする。この開閉動作により接点信号が電気回路２２を流れる。警報情報受信部１１は、この接点信号により、警報情報検出器２が検出した警報情報を受信する。
【００３２】
この警報接点８は、通常時はＯＦＦであるが、異常や故障を検出するとＯＮとなり、接点信号が発信される。従って、警報情報検出器２には、この接点信号の開閉動作（ＯＮ・ＯＦＦ動作）を行う全てのものが含まれる。例えば、ガス漏れ警報器、火災報知機、エレベータ監視盤等の異常監視器は、異常時に接点信号を発信することから警報情報検出器２に含まれる。また、例えば、温度センサ、圧力センサ、湿度センサ等のセンサも、例えば構内施設の設備の故障時に、測定値が設定されたしきい値を越えた場合に接点信号を発信することから警報情報検出器２に含まれる。また、非常警報装置のボタンを押す（ＯＮ）ことにより接点信号を発信するものも警報情報検出器２に含まれる。
【００３３】
受信時間計測部１２は、警報情報受信部１１が警報情報を受信した時点から作動し、その後の経過時間を計測する。すなわち、通常の人（作業員や警備員）による警報の発報とは異なり、その設備装置や設備システムの異常や故障に従って警報を発報する。例えば、警報情報検出器２は、警報接点８の接点信号が、その設備装置や設備システムの異常や故障が回復するまでＯＮの状態が継続する場合があり、或いは、警報接点８の接点信号は、一旦ＯＮになった後にすぐにＯＦＦとなってしまう場合もある。従って、受信時間計測部１２により、一旦発報された警報の継続時間を計測する必要がある。
【００３４】
設定時間記憶部１３は、警報情報受信部１１が受信した警報情報の経過時間についての設定値を予め記憶する。本実施形態では、この設定時間記憶部１３に記憶された設定値として、最大設定値、最小設定値、及びリダイアルすべき設定値が記憶される。
【００３５】
接点信号処理部１４は、後述するように、警報情報検出器２の警報接点８の開閉動作を、内部回路接点１７を有する内部回路１０の開閉動作により処理する。すなわち、受信時間計測部１２が計測した、警報を報知する期間である警報情報検出器２の警報接点８の開閉動作の継続時間を、設定時間記憶部１３に記憶された設定値に基づき内部回路１０の内部回路接点１７を制御し、構内電話がＰＨＳ端末機４を呼び出す動作の継続時間として処理する。
【００３６】
接点信号発信部１５は、構内交換機３のアナログ内線回路７に、接点信号処理部１４により処理された内部回路１０の接点信号を発信し、構内交換機３にオフフックされたと判断させてＰＨＳ端末機４にダイレクト・コールによる呼び出しをさせる。
【００３７】
呼出確認受信部１６は、呼出確認ボタン９が押されＯＮとなったことを受信し、接点信号処理部１４にその情報を伝送する。
【００３８】
図２から図７を用いて、本実施形態における接点信号処理装置１の処理動作を説明する。なお、図２から図７は、接点信号処理装置１の動作を分かりやすく説明するために簡略化して表示する。
【００３９】
ここで、接点信号処理装置１の接点信号処理部１４は、原則として、メーク接点（通常接点がＯＦＦであり、動作時にＯＮとなる接点）に対して内部回路１０の開閉動作により処理する。一方、接点信号処理部１４は、ブレーク接点（通常接点がＯＮであり、動作時にＯＦＦとなる接点）に対しても内部回路１０の開閉動作のＯＮとＯＦＦとを逆とすることで対応可能となる。
【００４０】
図２には、警報接点８がＯＮである継続時間が最大設定値（ｔ１）を越える場合の処理を示す。警報情報検出器２は、警報情報を検知すると警報接点８をＯＮとする。図２（ａ）に示すように、この警報接点８がＯＮになるとともに、接点信号処理装置１の内部回路１０の内部回路接点１７もＯＮとなる。この警報情報は、図１に示す警報情報報知システム３０により、所定のＰＨＳ端末機４に報知される。しかし、警報情報検出器２は、その設備装置や設備システムの異常や故障が回復するまで警報接点８の接点信号をＯＮの状態に継続する場合がある。その場合には、構内交換機３は、継続する接点信号ＯＮの状態に従って、特定のＰＨＳ端末機４を呼び出し続けることになる。
【００４１】
図２（ｂ）に示すように、接点信号処理装置１は、受信時間計測部１２が計測する接点信号ＯＮの継続時間が、設定時間記憶部１３に記憶された最大設定値（ｔ１）、例えば、１０秒を超えると、内部回路１０の内部回路接点１７をＯＮからＯＦＦに切り替える。これにより、構内交換機３による特定のＰＨＳ端末機４の呼び出しは終了する。この最大設定値（ｔ１）は、警報情報報知システム３０の全ての警報情報検出器２について一定値であっても良く、又は警報情報検出器２ごとに、その重要度等の要因から異なる値であっても良い。
【００４２】
図３には、警報接点８がＯＮである継続時間が最小設定値（ｔ２）に達しない、所謂、ワンショットの場合の処理を示す。図３（ａ）に示すように、警報情報検出器２は、警報情報を検知すると警報接点８をＯＮとし、接点信号処理装置１の内部回路１０の内部回路接点１７もＯＮとなる。図３（ｂ）に示すように、通常、この警報接点８がＯＮからＯＦＦになると、接点信号処理装置１の内部回路１０の内部回路接点１７もＯＮからＯＦＦとなる。しかし、警報接点８が、短時間（例えば、１秒間）でＯＮからＯＦＦになる場合がある。この警報情報は、短時間であっても、図１に示す警報情報報知システム３０により、所定のＰＨＳ端末機４に報知される。しかし、構内交換機３は、一旦は接点信号ＯＮの状態に従い特定のＰＨＳ端末機４を呼び出すが、短時間でＯＦＦになると呼出を停止し、ＰＨＳ端末機４の所有者が気付かない場合がある。
【００４３】
図３（ｃ）に示すように、接点信号処理装置１は、受信時間計測部１２が計測する接点信号ＯＮの継続時間が、設定時間記憶部１３に記憶された最小設定値（ｔ２）、例えば、１０秒に達せずに、例えば１秒間で切れるときは、その最小設定値（ｔ２）まで（さらに９秒間）内部回路１０の内部回路接点１７をＯＮの状態に継続し続ける。これにより、構内交換機３による特定のＰＨＳ端末機４の呼び出しはそのまま継続される。この最小設定値（ｔ２）は、警報情報報知システム３０の全ての警報情報検出器２について一定値であっても良く、又は警報情報検出器２ごとに、その重要度等の要因から異なる値であっても良い。
【００４４】
図４には、継続時間がリダイアルすべき設定値（ｔ３）に達した場合の処理を示す。図４（ａ）に示すように、警報情報検出器２は、警報情報を検知すると警報接点８をＯＮとし、接点信号処理装置１の内部回路１０の内部回路接点１７もＯＮとなる。これにより、構内交換機３は、特定のＰＨＳ端末機４を呼び出そうとする。しかし、ＰＨＳ端末機４が話中や圏外の場合には呼出ができない。この場合、図４（ｂ）に示すように、警報情報検出器２が検出した警報情報の発信が、ＰＨＳ端末機４に報知されずに終了してしまう虞がある。
【００４５】
図４（ｃ）に示すように、接点信号処理装置１は、受信時間計測部１２が計測する接点信号ＯＮの継続時間が、設定時間記憶部１３に記憶されたリダイアルすべき設定値（ｔ３）、例えば、６０秒ごとに、内部回路１０の内部回路接点１７をＯＮの状態とする。これにより、一定の間隔をおいて構内交換機３により特定のＰＨＳ端末機４が呼び出される。このリダイアルすべき設定値（ｔ３）は、警報情報報知システム３０の全ての警報情報検出器２について一定値であっても良く、又は警報情報検出器２ごとに、その重要度等の要因から異なる値であっても良い。また、設定時間記憶部１３は、予めリダイアルの回数についての設定値を記憶し、接点信号処理部１４は、その回数に従いリダイアルするとしても良い。
【００４６】
図５には、呼出確認ボタン９が設けられた場合の処理方法を示す。上述したように、警報接点８のＯＮ状態が長時間継続した場合、図３の呼び出しの継続、或いは図４の呼び出しの繰り返しが発生する。警報情報報知システム３０は、警報情報をＰＨＳ端末機４によりその所有者（設備管理者、保守責任者）に報知することが目的である。従って、ＰＨＳ端末機４の所有者により警報情報が確認されれば、警報の発信は終了してもよい。図５（ａ）は、警報接点８及び内部回路接点１７が共にＯＮとなっている場合である。このとき、ＰＨＳ端末機４の所有者は、ＯＦＦとなっている呼出確認ボタン９を、図５（ｂ）のようにＯＮとする。接点信号処理部１４は、この呼出確認ボタン９のＯＮの情報を受けた呼出確認受信部１６の指令により、内部回路１０の内部回路接点１７をＯＦＦとする。これにより、構内交換機３による特定のＰＨＳ端末機４の呼出しは終了する。
【００４７】
この呼出確認ボタン９は、例えば、設備管理室内に設けられた監視装置に設置され、特定のＰＨＳ端末機４の所有者（設備管理者、保守責任者）が、そのＰＨＳ端末機４の呼出しを確認した場合に、スイッチを押して呼出を停止すこととしても良い。また、この呼出確認ボタン９は、警報情報検出器２の近傍に設置され、特定のＰＨＳ端末機４の所有者（設備管理者、保守責任者）が、警報情報が発生した現場を確認した場合に、スイッチを押して呼出を停止すこととしても良い。
【００４８】
図６には、上述した呼出確認ボタン９専用の確認通知内部回路１９が設けられた場合を示す。図６（ａ）に示すように、接点信号処理装置１は、呼出確認ボタン９に連動した確認通知内部回路１９を備える。また、その確認通知内部回路１９は、確認通知内部回路接点２０を有して構内交換機３のアナログ内線回路７に接続される。すなわち、この確認通知内部回路１９の構成は、内部回路１０と同様な構成である。従って、図６（ｂ）に示すように、確認ボタン９が押されてＯＮになると、確認通知内部回路接点２０がＯＮとなり、予め設定されたＰＨＳ端末機４に確認済み通知が送信される。
【００４９】
この呼出確認ボタン９は、警報情報検出器２の近傍に設置される。例えば、その設備装置や設備システムの近傍にいた作業員が、警報情報が発生した現場を確認した場合に、確認済みであることを特定のＰＨＳ端末機４の所有者（設備管理者、保守責任者）に連絡する場合に用いられる。このＰＨＳ端末機４の所有者は、警報情報がＰＨＳ端末機４に報知された後、同じように作業員から、発生した警報情報を確認した旨の報告が報知される。
【００５０】
図７は、警報情報検出器２の警報接点８が、有電圧接点である場合を示す。警報情報検出器２の警報接点８は、通常は無電圧接点であり、接点信号処理装置１側から電源を供給する。しかし、警報情報検出器２には、その種類により有電圧接点である場合がある。例えば、その回路内に照明設備が含まれており、警報接点８のＯＮと共に照明をつけなければならない場合である。この場合に、接点信号処理装置１側も有電圧接点であると電圧の異なる２重電圧となり接続できない。接点信号処理装置１は、電源を有さない内部回路１０を用いて、警報情報検出器２の有電圧接点に接続する。すなわち、接点信号処理装置１は、無電圧接点又は有電圧接点のいずれの接点にも対応可能なような内部回路１０を備え、接点信号処理部１４は、無電圧接点又は有電圧接点を判断して内部回路１０を選択する。
【００５１】
図８は、本発明に係る接点信号処理装置１の第１の実施形態の一つの実施例を示す。本実施例では、接点信号処理装置１に複数の警報情報検出器２ａ，２ｂ，２ｃが接続された場合である。本実施例では、警報情報検出器２ａは、高架水槽減水センサであり、警報情報検出器２ｂ及び２ｃは、高架水槽ポンプ異常センサである。各警報情報検出器２ａ，２ｂ，２ｃは、それぞれ警報接点８ａ，８ｂ，８ｃを有する。一方、接点信号処理装置１は、内部回路１０として、高架水槽減水に関する内部回路１０ａ（内線４００）及び高架水槽ポンプ異常に関する内部回路１０ｂ（内線４０１）とを有する。
【００５２】
本実施例では、接点信号処理装置１の接点信号処理部１４は、複数の接点信号をＡＮＤ条件及びＯＲ条件の論理回路を組み、条件に従って、内部回路１０を処理する。すなわち、接点信号処理部１４に、内線４０１に警報情報を報知する条件として、２つの高架水槽ポンプ異常センサ２ｂ，２ｃの接点信号のいずれかがＯＮとなるＯＲ条件の論理回路を与えることができる。この場合、図８に示すように、接点信号処理部１４は、警報情報受信部１１が受信した、２つの高架水槽ポンプ異常センサ２ｂ，２ｃのいずれかの接点信号により、内部回路１０ｂの内部回路接点１７ｂをＯＮとする。この場合に、論理回路は、ＡＮＤ条件であってもよく、さらには、高架水槽減水センサ２ａの接点信号もＡＮＤ条件又はＯＲ条件を用いて組み合わせても良い。
【００５３】
（第２の実施形態）
図９に、接点信号処理装置の第２の実施形態を示す。この接点信号処理装置１００は、上述したダイレクト・コールの機能を利用せずにグループの代表内線番号であるグループ電話番号を呼び出す場合に用いられる。すなわち、本実施形態における接点信号処理装置１００は、第１の実施形態における接点信号処理装置１の構成要素である、警報情報受信部１１、受信時間計測部１２、設定時間記憶部１３、接点信号処理部１４、接点信号発信部１５、及び呼出確認受信部１６に新たにグループ電話番号発信部１０１が付加される。また、このグループ電話番号発信部１０１は、制御部１０２、モデム１０３及び記憶部１０４から構成される。なお、第１の実施形態と同一の構成には同一の符号を付し、その説明を省略する。
【００５４】
グループ電話番号発信部１０１の制御部１０２は、警報情報受信部１１が受信した警報情報検出器２の接点信号から、複数のＰＨＳ端末機４が呼び出されるグループ電話番号を選択する。このグループ電話番号は、警報情報検出器２の内線番号に対応して予めグループ電話番号発信部１０１の記憶部１０４に記憶されている。さらに、制御部１０２は、構内交換機３に対し、接点信号処理部１４から発信された接点信号とともに、モデム１０３を制御してグループ電話番号のダイヤルを発信する。そして、構内交換機３は、警報情報検出器２からの接点信号に対してオフフックされたと判断し、グループ電話番号発信部１０１から発信されたグループ電話番号に基づいて各ＰＨＳ端末機４を呼び出す。
【００５５】
このように、モデム１０３を有するグループ電話番号発信部１０１を接点信号処理装置１００に設け、グループ電話番号発信部１０１に警報情報検出器２の内線番号に対応するグループ電話番号を記憶させておくことで、ダイレクト・コールの機能を利用しなくてもグループの代表内線番号を呼び出すことが可能となる。また、図８に示すように、第１の実施形態では、接点信号処理装置１から構内交換機３への回線は、複数の警報情報検出器２に対応した個数を要するが、本実施形態では、接点信号処理装置１００から構内交換機３への接続は、１つの回線だけで済む。従って、回線を簡略化することが可能となる。
【００５６】
本実施形態では、このグループ電話番号発信部１０１は接点信号処理装置１００に含まれるが、グループ電話番号発信部１０１又はモデム１０３が独立して接点信号処理装置１００に接続されていても良い。
【図面の簡単な説明】
【００５７】
【図１】本発明に係る接点信号処理装置の第１の実施形態の概略構成を示すブロック図である。
【図２】警報接点のＯＮである継続時間が、最大設定値を越える場合の処理を示す説明図である。
【図３】警報接点のＯＮである継続時間が、最小設定値に達しない場合の処理を示す説明図である。
【図４】継続時間が、リダイアルすべき設定値に達した場合の処理を示す説明図である。
【図５】呼出確認ボタンが設けられた場合の処理方法を示す説明図である。
【図６】呼出確認ボタン専用の確認通知内部回路が設けられた場合を示す説明図である。
【図７】警報情報検出器の警報接点が、有電圧接点である場合を示す説明図である。
【図８】本発明に係る接点信号処理装置に複数の警報接点が接続された場合の一つの実施例の概略構成を示す説明図である。
【図９】本発明に係る接点信号処理装置の第２の実施形態の概略構成を示すブロック図である。
【図１０】警報情報報知システムの１つの実施形態の概略構成を示す説明図である。
【図１１】一般的な電話機と電話交換機とを接続する電気回路の仕組みを示す説明図である。
【符号の説明】
【００５８】
１，１００  接点信号処理装置、２  警報情報検出器、３  構内交換機、４  ＰＨＳ端末機、５，２２  電気回路、６  ＰＨＳ基地局、７  アナログ内線回路、８  警報接点、９  呼出確認ボタン、１０  内部回路、１１  警報情報受信部、１２  受信時間計測部、１３  設定時間記憶部、１４  接点信号処理部、１５  接点信号発信部、１６  呼出確認受信部、１７  内部回路接点、１８  電圧、１９  確認通知内部回路、２０  確認通知内部回路接点、２１  電話交換機、２３  スイッチ、２４  受話器、２５  電話機、３０  警報情報報知システム、１０１  グループ電話番号発信部、１０２  制御部、１０３  モデム、１０４  記憶部。
【図１】
2008118610.tif 000003
【図２】
2008118610.tif 000004
【図３】
2008118610.tif 000005
【図４】
2008118610.tif 000006
【図５】
2008118610.tif 000007
【図６】
2008118610.tif 000008
【図７】
2008118610.tif 000009
【図８】
2008118610.tif 000010
【図９】
2008118610.tif 000011
【図１０】
2008118610.tif 000012
【図１１】
2008118610.tif 000013